(57)【要約】【課題】再生表示時の周囲光（環境光）の明るさの検出確度を高め、違和感なく被写体を表示することができる画像表示装置を提供する。【解決手段】画像を表示する画像表示部１０４と、画像表示部１０４の周囲の明るさを検出する照度センサ１０５と、撮影の際に撮影レンズ１０８を介して、撮影画像の明るさを検出する測光センサ１０７とを備える。また、画像表示部１０４へ画像を表示する際に、周囲の明るさを評価し、表示画像の明るさを制御するマイコン１０１を備える。マイコン１０１は、照度センサ１０５と測光センサ１０７のそれぞれの出力の大きさ及びその大小関係に基づいて明るさの評価を行い、表示画像の明るさを制御する。【選択図】図３
2010147862.tif 000002
【特許請求の範囲】
【請求項１】
画像を表示する画像表示手段と、
前記画像表示手段の周囲の明るさを検出する第１の検出手段と、
撮影の際に撮影レンズを介して、撮影画像の明るさを検出する第２の検出手段と、
前記画像表示手段へ画像を表示する際に、周囲の明るさを評価し、表示画像の明るさを制御する輝度制御手段とを備え、
前記輝度制御手段は、前記第１の検出手段と前記第２の検出手段のそれぞれの出力の大きさ及びその大小関係に基づいて明るさの評価を行い、前記表示画像の明るさを制御することを特徴とする画像表示装置。
【請求項２】
画像を表示する画像表示手段と、
前記画像表示手段の周囲の明るさを検出する第１の検出手段と、
撮影の際に撮影レンズを介して、撮影画像の明るさを検出する第２の検出手段と、
前記画像表示手段へ画像を表示する際に、周囲の明るさを評価し、表示画像の明るさを制御する輝度制御手段とを備え、
前記輝度制御手段は、前記第１の検出手段の出力から得られる明るさ情報の重み付けは、前記第２の検出手段の出力から得られる明るさ情報の重み付けより大きく、前記第２の検出手段の出力から得られる前記明るさ情報の重み付けは、前記第１の検出手段の出力から得られる前記明るさ情報との大小関係により可変させて明るさの評価を行い、前記表示画像の明るさを制御することを特徴とする画像表示装置。
【請求項３】
前記第１の検出手段は画像の表示中に所定の間隔で継続的に検出を行い、前記第２の検出手段により検出される前記明るさ情報は、直前に撮影した際のものであることを特徴とする請求項２記載の画像表示装置。
【請求項４】
請求項１または２記載の画像表示装置を備える撮像装置。
【請求項５】
画像を表示する画像表示手段と、
装着したレンズを通して被写体を撮像する撮像手段と、
前記撮像手段からの撮像画像を画像表示手段に表示させる画像制御手段と、
前記画像表示手段の周囲の明るさを検出する第１の検出手段と、
撮影の際に撮影レンズを介して、前記撮影画像の明るさを検出する第２の検出手段と、
前記撮像画像の輝度分布から、前記撮影画像の明るさを検出する第３の検出手段と、
前記画像表示手段へ画像を表示する際に、周囲の明るさを評価し表示画像の明るさを制御する輝度制御手段と、
を備え、
前記輝度制御手段は、再生画像表示の際には前記第１の検出手段と前記第２の検出手段の出力を選択し、
前記撮像手段からの出力画像をリアルタイムで表示する際には前記第１の検出手段と前記第３の検出手段の出力を選択し、
いずれも、選択した２つの検出手段の出力に基づいて前記輝度制御手段を制御し、表示画像全体の明るさを可変することを特徴とする画像表示装置。
【請求項６】
請求項５記載の画像表示装置を備える撮像装置。
【発明の詳細な説明】
【技術分野】
【０００１】
本発明は、画像表示装置及びその画像表示装置を備える撮像装置に関する。
【背景技術】
【０００２】
カメラ（撮像装置）の背面に備えた画像表示装置で、撮影した画像を再生表示するとき、画像表示装置が見易くなるよう、表示部（液晶表示素子）の明るさを可変することがなされている。
【０００３】
表示部の明るさは、撮影した画像データの明るさの平均値を求め、これに応じたものであったり、画像表示装置近傍に備えた照度センサの検出した明るさに応じたものがある。
【０００４】
前者では、画像データからの情報であるため、撮影結果に基づくものであって、被写体や背景の明るさにより左右されてしまい、周囲の明るさとの相関は低く、画像表示装置が適切な明るさになるとは限らない。
【０００５】
後者は、照度センサ出力による出力であって、周囲の明るさ情報といえるが、背面に備えているため、後方を主とした検出結果となってしまう。そのため、例えば、暗い場所から明るい場所（もの）を撮ったとき、（室内から屋外を撮影したとき等）、撮影直後に再生画像をみると「暗い」と感じてしまう。
【０００６】
これは、目が、ファインダから覗いた屋外の明るさに慣れていることの影響もあるだろうが、照度センサ出力そのものが、実際の周囲の明るさよりも暗いものを測定した結果によるものである。
【０００７】
上述のように液晶表示素子は、周囲光（環境光）により色が変動する。また、人は順応により周囲光（環境光）の影響を吸収する。そのため、同じ撮影画像でありながら、再生表示の際の周囲光（環境光）の違いにより、感じる色合い（色度）が変化してしまう。
【０００８】
このような問題の対策や改善のために、例えば、特許文献１では、使用環境における周囲の光量を考慮して、表示される画像の視認性を向上させることのできる光量評価機能付き表示装置及び光供給制御方法を提供している。
【０００９】
この技術によれば、表示手段の環境情報として周囲の明るさ（測光値）と、表示手段と光源との位置関係とをそれぞれ検出し、得られた情報及び／または測光値と所定の調整判定値とを比較して周囲よりも表示手段が暗いとき照明を点灯させる。
【００１０】
このことにより、周囲と同程度の明るさで表示手段に情報を表示することになるので、常に適切に見やすい表示を行わせることができる。
【００１１】
また、例えば、特許文献２では、画像入力機器の測光機能を活用して、画像確認もしくは制御情報確認用表示器における輝度設定を環境光の変化に対応したダイナミックな最適制御を実現している。
【特許文献１】特開平２００１−１０９４３４号公報
【特許文献２】特開２００４−１０９１７０号公報
【発明の開示】
【発明が解決しようとする課題】
【００１２】
特許文献１に記載の技術では、光量検出部において、液晶表示部に周囲環境から入射する光量を測光するセンサが、例えば、液晶表示面と同じ側の面に設けられている。また、光量検出部には、図示しないが入射光を有効に集光して検出するため、光学系をセンサの前面側に設ける。
【００１３】
しかしながら、センサは、複数設けることで検出する光量を増やし、後に行われる評価に誤りが生じないようにしているものであって、測定（測光）範囲の拡大はできても、周囲の明るさの測定確度を高めることは難しい。
【００１４】
また、特許文献２に記載の技術の場合、画像入力機器の測光機能だけでは、指向性の影響がでてしまう。ここでは、カメラであるから、測光機能は被写体方向中心ものとなり、表示部の明るさを制御するに適切な明るさ情報とはいい難い。
【００１５】
カメラがＴＴＬ方式の測光方式であれば、レンズキャップ装着のままであるときの対応として、装着有無を検出し、装着時には測光機能結果によらない明るさを設定することも必要となる。
【００１６】
本発明の目的は、再生表示時の周囲光（環境光）の明るさの検出確度を高め、違和感なく被写体を表示することができる画像表示装置及び撮像装置を提供することにある。
【課題を解決するための手段】
【００１７】
上記目的を達成するために、請求項１記載の画像表示装置は、画像を表示する画像表示手段と、前記画像表示手段の周囲の明るさを検出する第１の検出手段と、撮影の際に撮影レンズを介して、撮影画像の明るさを検出する第２の検出手段と、前記画像表示手段へ画像を表示する際に、周囲の明るさを評価し、表示画像の明るさを制御する輝度制御手段とを備え、前記輝度制御手段は、前記第１の検出手段と前記第２の検出手段のそれぞれの出力の大きさ及びその大小関係に基づいて明るさの評価を行い、前記表示画像の明るさを制御することを特徴とする。
【００１８】
請求項２記載の画像表示装置は、画像を表示する画像表示手段と、前記画像表示手段の周囲の明るさを検出する第１の検出手段と、撮影の際に撮影レンズを介して、撮影画像の明るさを検出する第２の検出手段と、前記画像表示手段へ画像を表示する際に、周囲の明るさを評価し、表示画像の明るさを制御する輝度制御手段とを備え、前記輝度制御手段は、前記第１の検出手段の出力から得られる明るさ情報の重み付けは、前記第２の検出手段の出力から得られる明るさ情報の重み付けより大きく、前記第２の検出手段の出力から得られる前記明るさ情報の重み付けは、前記第１の検出手段の出力から得られる前記明るさ情報との大小関係により可変させて明るさの評価を行い、前記表示画像の明るさを制御することを特徴とする。
【００１９】
請求項４記載の撮像装置は、請求項１または２記載の画像表示装置を備える。
【００２０】
請求項５記載の画像表示装置は、画像を表示する画像表示手段と、装着したレンズを通して被写体を撮像する撮像手段と、前記撮像手段からの撮像画像を画像表示手段に表示させる画像制御手段と、前記画像表示手段の周囲の明るさを検出する第１の検出手段と、撮影の際に撮影レンズを介して、前記撮影画像の明るさを検出する第２の検出手段と、前記撮像画像の輝度分布から、前記撮影画像の明るさを検出する第３の検出手段と、前記画像表示手段へ画像を表示する際に、周囲の明るさを評価し表示画像の明るさを制御する輝度制御手段と、を備え、前記輝度制御手段は、再生画像表示の際には前記第１の検出手段と前記第２の検出手段の出力を選択し、前記撮像手段からの出力画像をリアルタイムで表示する際には前記第１の検出手段と前記第３の検出手段の出力を選択し、いずれも、選択した２つの検出手段の出力に基づいて前記輝度制御手段を制御し、表示画像全体の明るさを可変することを特徴とする画像表示装置。
【００２１】
請求項６記載の撮像装置は、請求項５記載の画像表示装置を備える。
【発明の効果】
【００２２】
本発明の画像表示装置によれば、再生表示時の周囲光（環境光）の明るさの検出確度を高め、違和感なく被写体を表示することができる。
【発明を実施するための最良の形態】
【００２３】
以下、本発明を図面を参照しながら詳細に説明する。
【００２４】
図１は、本発明の実施の形態に係る撮像装置としてのデジタルカメラの背面から見た外観斜視図、図２は、図１のデジタルカメラの上面図である。
【００２５】
図１及び図２において、ファインダ接眼部１は被写体を観察する部材であり、液晶モニタ（図２の画像表示部）２は、内蔵するＣＣＤ等の撮像素子で撮影した画像を所定の画像処理部を通して表示する。
【００２６】
背面操作ダイヤル３及び上面操作ダイヤル４は、撮影時の露出値等の撮影条件を変更する場合に所定の操作を実行するための操作部材である。
【００２７】
レリーズボタン５は、撮影条件決定後に撮影動作を開始するためのものである。グリップ部６は、デジタルカメラの右側部が前方に張り出し、撮影者が撮影に備えてデジタルカメラを保持するためのものである。指充て部７は、背面側に突出し、グリップ部６を握ってデジタルカメラを把持した場合に親指が滑らないようにする役割りを担っている。
【００２８】
操作スイッチ８は、指充て部７の上側に設けられ、所定の操作を行うためのものである。メディアカバー９は、デジタルカメラに回動可能に保持されていて、ＣＦカード等の記録メディアを挿抜する時には、ユーザーの操作に従って開閉可能となっている。
【００２９】
本発明の特徴の１つである照度センサ受光部１０は、後述する照度センサが組み付けられており、照度センサ受光部１０を透過した光が照射される。
【００３０】
図３は、図１のデジタルカメラのブロック図である。
【００３１】
同図に示すように、本デジタルカメラは、全体の制御を行うマイコン（輝度制御手段、画像制御手段）１０１、ＣＣＤまたはＣＭＯＳエリアセンサ等からなる撮像部１０２、撮像部１０２からの画像信号を処理する画像処理部１０３、画像表示部１０４を備える。
【００３２】
また、本デジタルカメラは、照度センサ（第１の検出手段）１０５、外部記憶装置１０６、測光センサ（第２の検出手段）１０７、撮影レンズ１０８、焦点検出部１０９を備える。照度センサ１０５は、画像の表示中に所定の間隔で継続的に明るさの検出を行う。
【００３３】
撮影レンズ１０８は、撮像画像の輝度分布から、撮影画像の明るさを検出する第３の検出手段として機能する。
【００３４】
輝度制御手段は、画像表示手段へ画像を表示する際に、周囲の明るさを評価し表示画像の明るさを制御する。また、輝度制御手段は、再生画像表示の際には第１の検出手段と第２の検出手段の出力を選択する。また、輝度制御手段は、撮像手段からの出力画像をリアルタイムで表示する際には第１の検出手段と第３の検出手段の出力を選択する。そして、いずれも、選択した２つの検出手段の出力に基づいて輝度制御手段を制御し、表示画像全体の明るさを可変する。
【００３５】
マイコン１０１は、例えば、内部にＣＰＵ（中央演算処理部）、ＲＡＭ、ＲＯＭ、不揮発性メモリ、入出力ポート等が配置されたワンチップのコンピュータである。
【００３６】
マイコン１０１は、ＲＯＭに格納されたシーケンスプログラムに基づいて、一連の動作を行う。マイコン１０１に内蔵の不揮発性メモリには、画像処理の制御、調正に関係する一連のパラメータが格納されている。
【００３７】
一連のパラメータとは、露出制御や焦点調節に関する調整値等を含む一連のカメラの制御パラメータや、撮像素子（撮像部１０２）の調整値、撮影画像のホワイトバランスから撮影画像表示部１０４に撮影画像を表示する際の制御値等である。
【００３８】
撮像部１０２は、ＣＣＤまたはＣＭＯＳ エリアセンサ等の撮像素子とこれを駆動するセンサ駆動部とからなり、撮影レンズ１０８の光学系を通じて、撮影領域からの光束を撮像素子上に結像させている。撮像素子は、これを光電変換し、電気的信号として画像処理部１０３へ出力する。
【００３９】
画像処理部１０３において、撮像画像補正部は、Ａ／Ｄ変換機能を備え、撮像部１０２からの信号をＡ／Ｄ変換した後、暗電流補正やシェーディング補正等の撮像部１０２に起因する一連の補正を行う。
【００４０】
画像処理部１０３では、ローパスフィルタによりノイズ成分を除去し、画素及び色補間処理、ホワイトバランスやガンマ補正等の一連の画像処理を行う。内部にあるＩＦ（インターフェイス）部（不図示）では、一連の画像処理を行った撮影画像データを外部記憶装置１０６への送り出しや、外部記憶装置１０６に記録された撮影画像データの取り込みを行う。
【００４１】
画像表示部１０４へは、画像処理された撮像部１０２からの撮影画像データや、外部記憶装置１０６に記録された撮影画像データが、表示のための一連の処理が画像処理部１０３で行われた後に出力される。
【００４２】
画像表示部１０４へ出力までの一連の処理は、ホワイトバランス調整、リサイズ、ＶＲＡＭ格納からなる。
【００４３】
ホワイトバランス調整部では、領域抽出及び平均輝度検出部からの出力に基づいて、表示画像のホワイトバランスを調整する。
【００４４】
ホワイトバランス調整された表示画像は、リサイズ部にてＬＣＤ表示部に表示可能な解像度に解像度変換した後、その出力をＶＲＡＭ部に格納する。
【００４５】
ＶＲＡＭ部に格納された表示画像データは、領域表示可能な解像度に解像度変換した後、画像表示部１０４へ出力される。
【００４６】
画像表示部１０４は、ＬＣＤ制御部１１１、ＬＣＤ表示部１１２及びバックライト１１３から構成されている。
【００４７】
ＬＣＤ制御部１１１は、γ補正部１２１、ＤＡ変換部１２２、ＬＣＤドライバ部１２３、ＷＢ部１２４からなる。
【００４８】
γ補正部１２１にて、画像処理部１０３のＶＲＡＭからの出力は、ＬＣＤ表示部１１２に適したガンマ補正された後、ＤＡ変換部１２２にてＬＣＤ表示部１１２へ出力する信号に変換される。
【００４９】
ＬＣＤドライバ部１２３は、ＤＡ変換部１２２にてＤＡ変換された画像データに同期させて、ＬＣＤ表示部１１２の駆動信号を出力する。
【００５０】
ＬＣＤ表示部１１２は、ＬＣＤ表示パネルからなり、ＬＣＤ表示パネルはバックライト１１３により照射される。
【００５１】
ＬＣＤ表示部１１２に表示するデータは、撮像部１０２からの画像データのほかに、外部記憶装置１０６に記憶した画像データや、カメラの設定情報である。
【００５２】
バックライト１１３は、複数のＬＥＤと光学部材で構成されている。ＬＥＤの駆動制御は、定電流及びマイコン１０１からのＰＷＭ制御信号によるオン−オフ制御によりなされ、点灯時の輝度可変はそのデューティ比を変えることにより行う。デューティ制御分解能は８ビットであって、フルオン時には定電流で常時オンされ、このとき、バックライト１１３は最大輝度となる。
【００５３】
外部記憶装置１０６は、例えば、ＣＦカード、ＳＤカードのような複数の画像データの保存を行える不揮発性の記憶装置であって、本システム（デジタルカメラ）から着脱可能である。
【００５４】
即ち、外部記憶装置１０６を本システムに装着した状態で、画像処理部１０３から出力される画像データを記憶する動作を１つまたは複数の撮影画面分行った後に、本システムから取り外し、本システムのデータ形式で読み出し可能な別のシステムに装着する。これにより、記憶されているデータの再生や編集、保存を行うことができる。
【００５５】
また、外部記憶装置１０６を再度装着することで、本システムのデータ形式で読み出し可能な画像データであれば、読み出し後、画像処理部１０３にて最適な処理を行う。そして、ＬＣＤ制御部１１１にてＬＣＤ表示部１１２に表示するための処理を行った後に、その画像データをＬＣＤ表示部１１２に表示することができる。
【００５６】
焦点検出部１０９は、結像面近傍に配置されたフィールドレンズ、反射ミラー、２次結像レンズ、絞り、複数の光電変換素子等からなるＣＣＤ等のラインセンサから構成されている。
【００５７】
本実施の形態における焦点検出部１０９は、周知の位相差方式であるとともに、観察画面内（ファインダ視野内）の複数の領域を測距点として、該測距点が焦点検出可能となるように構成されている。
【００５８】
レンズ１０８には、焦点調節回路、絞り駆動回路が組み込まれており、不図示のマウント接点を介してマイコン１０１との間で信号の伝達がなされる。
【００５９】
マイコン１０１は、焦点検出部１０９からの出力に基づき、レンズ１０８に内蔵の焦点調節回路を動作し、最適な焦点調節となる信号を出力する。マイコン１０１は、それとともに、不図示の測光回路からの出力に基づいて、レンズ１０８に内蔵の絞り駆動回路を動作し、最適な露光量となる信号を出力する。
【００６０】
測光センサ１０７は、ＡＥセンサとも呼ばれており、マイコン１０１のＡＤ変換部に接続されている。撮影時の被写体及びその周囲からの光量が、デジタルカメラに装着したレンズ１０８を透過して照射される。
【００６１】
ＡＤ変換された結果から明るさの大小及びその程度が判る。マイコン１０１は、この測光センサ１０７の出力に基づいて、ＩＳＯ感度、シャッター速度ＴＶ、絞りＡＶの関係を成り立たせている。この関係が成り立つことで、最適な明るさで撮影することができる。
【００６２】
測光センサ出力はＥＶ：Exposure Value （  = Light Value）値として出力され、下記関係が成り立つ。
ＥＶ= log2 (F^2/T) 
ＥＶ：Exposure Value ( = Light Value) 
Ｆ：レンズ絞り（ＡＶ） 
Ｔ：露出時間（秒）（ＴＶ） 
このＥＶ値は、絞り（Ｆ）と露光時間（Ｔ）だけで決まる値であり、さらに撮像素子の感度分の補正により決まるＩＳＯが加わる。さらに、ＥＶ値から照度への換算も公知の関係式があり、それにより求める。
【００６３】
照度センサ１０５は、マイコン１０１のＡＤ変換部に接続されている。図１に示すデジタルカメラの背面に設置されている照度センサ受光部１０５に取り付けられ、照度センサ受光部１０５を透過した入射光量に比例した出力が得られる。
【００６４】
明るさ：照度と照度センサ出力との関係は次の式で示される。
【００６５】
明るさ：照度（入射光量）＝照度センサ出力  ／  センサ感度×照度センサ受光部の透過率
照度センサ１０５は、１０ルックス（ＬＸ）から２万ルックスの明るさを測定することができる。この測定範囲は、画像表示部１０４が透過形ＬＣＤであれば、可変しうる輝度の範囲を充分にカバーしている。
【００６６】
マイコン１０１は、ＡＤ変換した結果を使い、上記関係式より明るさを算出している。
【００６７】
（第１の実施の形態）
図４、図５、図６、図７を用いてＬＣＤ表示部１１２の明るさの設定について説明する。
【００６８】
図４は、図３のデジタルカメラによって実行される画像表示部の表示制御処理の第１の実施の形態の手順を示すフローチャートである。
【００６９】
本処理は、マイコン１０１が、照度センサ１０５と測光センサ１０７とＬＣＤ制御部１１１内のブロックであるＷＢ部１２４を制御することで行われる。
【００７０】
画像表示部１０４（のＬＣＤ表示部１１２）の明るさは、ＬＣＤ制御部１１１の「γ」処理とマイコン１０１から制御されるバックライト１１３により決まる。
【００７１】
マイコン１０１は、輝度を自動制御するか否か否を判断し（ステップＳ１００）、自動制御するときには、表示する撮影駒（表示駒）画像が切り替わり時であるか否かを判断する（ステップＳ２００）。
【００７２】
切り替わり時であれば、マイコン１０１は、直前に行ったはずである撮影時の一連の測光センサ１０７の情報を取り込む（ステップＳ３００）。さらに、マイコン１０１は、照度センサ１０５の情報を取り込む（ステップＳ４００）。
【００７３】
そして、マイコン１０１は、取り込んだ２つのセンサ情報を使って周囲の明るさを求め、それに適した輝度を確定する（ステップＳ５００）。詳細は図５にて説明する。
【００７４】
表示時の画像表示部１０４の輝度が確定したので、マイコン１０１は、その明るさとなるよう、バックライトの駆動条件：ＰＷＭデューティ比と表示する画像のγを予め用意しているテーブルデータから求める。そして、マイコン１０１は、画像表示部１０４の明るさに反映する（ステップＳ６００）。
【００７５】
マイコン１０１は、これらの処理を消灯となるまで繰り返す（ステップＳ７００）。消灯は、所定時間経過後に自動的に行う機能と、使用者のスイッチ操作によるものとがある。
【００７６】
画像表示部１０４の輝度自動制御のオン−オフは、使用者のスイッチ操作により可能であって、オフ時にはステップＳ２００からステップＳ５００の処理は行わない。
【００７７】
表示する撮影駒画像が切り替わり時でないときは、既に同じ画像が表示されている状態であるから、測光センサ情報は前回と同じとなるから、新たに取り込む必要はない。
【００７８】
図５は、図４のステップＳ５００で実行される輝度確定処理の手順を示すフローチャートである。
【００７９】
測光センサ情報の２つの重み付け係数を求め、その係数を使って周囲の明るさを求め、それに適した画像表示部１０４の輝度を設定している。
【００８０】
被写体情報（測光センサ情報）の重み付け１の処理では、マイコン１０１は、画像を表示するデジタルカメラの動作から、測光センサ情報の重み付け係数αを求める（ステップＳ５１０）。詳細は図６にて説明する。
【００８１】
照度センサ情報と測光センサ情報のそれぞれに対して単位の共通化を行い、明るさ情報の差分を求める。単位の共通化際しては、照度センサ１０５の出力から照度ＬＸが求まるので、測光センサ情報が、カメラで一般的に使われるＥＶ値であれば、通常使われる変換式にて照度ＬＸに換算する。
【００８２】
マイコン１０１は、測光センサ情報がＡＥ値として保持されているときは、ＩＳＯ感度、ＴＶ値、ＡＶ値から通常使われる換算式にて照度ＬＸに換算する（ステップＳ５２０）。
【００８３】
被写体情報（測光センサ情報）の重み付け２の処理では、マイコン１０１は、ステップＳ５２０で求めた結果を使って、測光センサ情報の重み付け係数βを求める（ステップＳ５３０）。詳細は図７にて説明する。
【００８４】
マイコン１０１は、求められた、測光センサ１０７の重み付け係数α及びβ、Δを使って周囲の照度を算出する。デジタルカメラの背面にある照度センサ出力を基準に、測光センサ情報と照度センサ情報の差分に重み付けした分の微調整を行っている（ステップＳ５４０）。
【００８５】
そして、マイコン１０１は、確定した周囲の照度から、それに適した画像表示部１０４の輝度を求める（ステップＳ５５０）。周囲の照度と、それに適した画像表示部１０４の輝度の関係は予め用意しているテーブルデータから求めている。
【００８６】
図６は、図５のステップＳ５１０で実行される被写体情報の重み付け１の処理の第１の実施の形態の手順を示すフローチャートである。
【００８７】
マイコン１０１は、再生表示する撮影画像の撮影からの経時により、使用者の周囲の明るさと測光センサ情報の相関を判断し、重み付け係数αを求める。
【００８８】
マイコン１０１は、表示モードがクイックレビューであるか否かを判断し（ステップＳ５１２）、クイックレビューであれば、測光センサ情報の重み付け係数αを１とする（ステップＳ５１４）。
【００８９】
ステップＳ５１２で、クイックレビューでないとき、即ち、再生表示ボタン等の操作に応じた表示であるときは、マイコン１０１は、直前の撮影からの時間経過を判断条件とする（ステップＳ５１３）。
【００９０】
時間経過が所定の値より小さいときは、マイコン１０１は、測光センサ情報の重み付け係数αを０．５とする（ステップＳ５１４）。所定の値以上のときは、マイコン１０１は、測光センサ情報の重み付け係数αを０とする（ステップＳ５１５）。
【００９１】
図７は、図５のステップＳ５３０で実行される被写体情報の重み付け２の処理の手順を示すフローチャートである。
【００９２】
マイコン１０１は、測光センサ情報から得られる被写体周辺の明るさ情報と照度センサ情報から得られる使用者の周囲の明るさ情報を比較して重み付け係数βを求める。
【００９３】
マイコン１０１は、照度センサ情報と測光センサ情報それぞれから求まる明るさの大小関係を判断し（ステップＳ５３１）、照度センサ情報による明るさが、測光センサ情報による明るさより大きいときは、重み付け係数βを０．５とし（ステップＳ５３２）、そうではないときはβを１とする（ステップＳ５３３）。
【００９４】
以上のように、デジタルカメラ背面の照度センサ１０５から得られる明るさ情報と測光センサ１０７の出力から得られる被写体の輝度情報とを使って、再生表示画像の明るさを決める際に、被写体の輝度情報については以下のように重み付けを行う。
【００９５】
即ち、被写体の輝度情報については、再生表示する画像の撮影から経過時間から求める係数と、背面の照度センサ１０５から得られる明るさ情報との大小関係により求まる係数の２つを使って重み付けを行う。
【００９６】
（第２の実施の形態）
以下、本発明の第２の実施の形態を、図面を参照して説明する。
【００９７】
第１の実施の形態では、撮影した画像を再生表示する場合の処理を説明した。第２の実施の形態は、撮像部１０２の出力をリアルタイムで画像表示部１０４に表示する際の動作を示すものである。
【００９８】
第１の実施の形態と構成は同じであるが、処理動作が以下のようになっている。一連の処理について、図８、図９を用いて説明する。
【００９９】
図８は、図３のデジタルカメラによって実行される画像表示部の表示制御処理の第２の実施の形態の手順を示すフローチャートである。
【０１００】
図８は、図４の処理に、ステップＳ１５０、ステップＳ２５０、ステップＳ１０００、ステップＳ１０１０、ステップＳ３１０の処理が加わったものである。図４と同じ処理ステップは同じ番号を使っており、ここでの説明は省略する。
【０１０１】
マイコン１０１は、画像表示部１０４の輝度制御が自動であるか否かを判断し、自動制御であるときは、リアルタイム表示モードであるか否かを判断する（ステップＳ１５０）。
【０１０２】
リアルタイム表示モードであるときには、マイコン１０１は、表示モード切り替え直後であるか否か判断し（ステップＳ２５０）、直後であれば、直前の測光センサ情報を取り込み（ステップＳ３００）そこから求めた情報を被写体輝度情報とする（ステップＳ３１０）。
【０１０３】
切り替え直後でなければ、マイコン１０１は、撮像情報を取り込み（ステップＳ１０００）、そこで求めた明るさを被写体輝度情報とする（ステップＳ１０１０）。
【０１０４】
撮影情報から被写体輝度情報は、撮像素子の感度と蓄積時間、撮像素子に照射される光量が通過する光学系の透過率によりを求める。
【０１０５】
図９は、図５のステップＳ５１０で実行される被写体情報の重み付け１の処理の第２の実施の形態の手順を示すフローチャートである。
【０１０６】
図９は、図６にリアルタイム表示モード時の対応（ステップＳ５１１）が組み込まれている。即ち、リアルタイム表示モードであれば、被写体輝度情報重み付け係数をα＝１とし、そうでなければ、撮影した画像の再生表示であるから、クイックレビューであるか否かにより処理を替えている。図中、ステップＳ５１１のほかの処理は、図６と同じであり既に説明しているからここでの説明は省略する。
【０１０７】
以上のように、リアルタイム表示モードにより、リアルタイムで撮像画像を画像表示部１０４に表示する機能が備えられているときは、リアルタイム表示モードに切り替わった直後である初期の設定は、第１の実施の形態と同じで明るさ情報に基づく処理を行う。
【０１０８】
以降は、被写体輝度情報を、測光センサ１０７による明るさ情報から、撮像画像により得られる明るさ情報に切り替えることで、継続的に画像表示部１０４の明るさを制御する。
【０１０９】
本発明は、第１、第２の実施の形態の構成に限られるものではなく、例えば、表示手段が、ＬＣＤ表示部でなくとも、表示機能を有するものであれば適用でき、例えば有機ＥＬを使った表示器であってもよい。
【図面の簡単な説明】
【０１１０】
【図１】本発明の実施の形態に係る撮像装置としてのデジタルカメラの背面から見た外観斜視図である。
【図２】図１のデジタルカメラの上面図である。
【図３】図１のデジタルカメラのブロック図である。
【図４】図３のデジタルカメラによって実行される画像表示部の表示制御処理の第１の実施の形態の手順を示すフローチャートである。
【図５】図４のステップＳ５００で実行される輝度確定処理の手順を示すフローチャートである。
【図６】図５のステップＳ５１０で実行される被写体情報の重み付け１の処理の第１の実施の形態の手順を示すフローチャートである。
【図７】図５のステップＳ５３０で実行される被写体情報の重み付け２の処理の手順を示すフローチャートである。
【図８】図３のデジタルカメラによって実行される画像表示部の表示制御処理の第２の実施の形態の手順を示すフローチャートである。
【図９】図５のステップＳ５１０で実行される被写体情報の重み付け１の処理の第２の実施の形態の手順を示すフローチャートである。
【符号の説明】
【０１１１】
１０１  マイコン
１０２  撮像部
１０３  画像処理部
１０４  画像表示部
１０５  照度センサ
１０６  外部記憶装置
１０７  測光センサ
１０８  撮影レンズ
１０９  焦点検出部
【図１】
2010147862.tif 000003
【図２】
2010147862.tif 000004
【図３】
2010147862.tif 000005
【図４】
2010147862.tif 000006
【図５】
2010147862.tif 000007
【図６】
2010147862.tif 000008
【図７】
2010147862.tif 000009
【図８】
2010147862.tif 000010
【図９】
2010147862.tif 000011